【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
無線アクセス技術(RAT)間の干渉を低減するためのキャリア感知適応送信(CSAT)の方法であって、
リソースを介して信号を受信するステップであって、第1のRATが前記信号を受信するために使用される、ステップと、
前記第1のRATと関連付けられる前記リソースの利用率を特定するステップであって、前記受信された信号に基づく、ステップと、
前記リソースを共有する第2のRATのための第1の周波数上での送信のアクティブ化期間および非アクティブ化期間を定義する、第1の時分割多重化(TDM)通信パターンの1つまたは複数の周期化パラメータを設定するステップであって、前記リソースの前記特定された利用率に基づく、ステップと、
前記第2のRATのための第2の周波数上での送信のアクティブ化期間および非アクティブ化期間を定義する、第2のTDM通信パターンの1つまたは複数の周期化パラメータを設定するステップであって、前記設定が前記リソースの前記特定された利用率に基づき、前記第1のTDM通信パターンおよび前記第2のTDM通信パターンがアクティブ化期間および非アクティブ化期間における重複に関して時間的に千鳥状にされる、ステップと、
前記第1および第2のTDM通信パターンに従って、前記第1および第2の周波数上での前記リソースを通じた送信のアクティブ化期間と非アクティブ化期間との間で前記第2のRATの動作を循環させるステップとを備える、方法。
【請求項２】
前記リソースが免許不要高周波帯域である、請求項1に記載の方法。
【請求項３】
前記第1のRATがWi-Fi技術を備え、
前記第2のRATがLong Term Evolution(LTE)技術を備える、請求項1に記載の方法。
【請求項４】
前記第1のTDM通信パターンの前記アクティブ化期間が前記第2のTDM通信パターンの前記非アクティブ化期間に対応し、
前記第1のTDM通信パターンの前記非アクティブ化期間が前記第2のTDM通信パターンの前記アクティブ化期間に対応する、請求項1に記載の方法。
【請求項５】
前記第1のTDM通信パターンのアクティブ化期間において、前記第1の周波数上で対応するアプリケーションのためのデータトラフィックを送信するステップと、
前記第1のTDM通信パターンの非アクティブ化期間において、前記第2の周波数上で前記データトラフィックを送信するステップとをさらに備える、請求項1に記載の方法。
【請求項６】
前記第2のTDM通信パターンの非アクティブ化期間において、前記第1の周波数上で前記データトラフィックを送信するステップをさらに備える、請求項5に記載の方法。
【請求項７】
前記対応するアプリケーションと関連付けられるサービス品質(QoS)の要件に基づいて、前記第1および第2の周波数を通じた送信のために前記データトラフィックをスケジューリングするステップをさらに備える、請求項5に記載の方法。
【請求項８】
無線アクセス技術(RAT)間の干渉を低減するためのキャリア感知適応送信(CSAT)のための装置であって、
リソースを介して信号を受信するように構成される第1の送受信機であって、前記信号を受信するために第1のRATに従って動作する、第1の送受信機と、
前記第1のRATと関連付けられる前記リソースの利用率を特定することであって、前記受信された信号に基づく、特定することと、
前記リソースを共有する第2のRATのための第1の周波数上での送信のアクティブ化期間および非アクティブ化期間を定義する、第1の時分割多重化(TDM)通信パターンの1つまたは複数の周期化パラメータを設定することであって、前記リソースの前記特定された利用率に基づく、設定することと、
前記第2のRATのための第2の周波数上での送信のアクティブ化期間および非アクティブ化期間を定義する、第2のTDM通信パターンの1つまたは複数の周期化パラメータを設定することであって、前記設定は前記リソースの前記特定された利用率に基づき、前記第1のTDM通信パターンおよび前記第2のTDM通信パターンはアクティブ化期間および非アクティブ化期間における重複に関して時間的に千鳥状にされる、設定することと、
前記第1および第2のTDM通信パターンに従って、前記第1および第2の周波数上での前記リソースを通じた送信のアクティブ化期間と非アクティブ化期間との間で前記第2のRATの動作の循環を制御することと
を行うように構成されるプロセッサと、
関連するデータおよび命令を記憶するための前記プロセッサに結合されるメモリとを備える、装置。
【請求項９】
前記リソースが免許不要高周波帯域である、請求項8に記載の装置。
【請求項１０】
前記第1のRATがWi-Fi技術を備え、
前記第2のRATがLong Term Evolution(LTE)技術を備える、請求項8に記載の装置。
【請求項１１】
前記第1のTDM通信パターンの前記アクティブ化期間が前記第2のTDM通信パターンの前記非アクティブ化期間に対応し、
前記第1のTDM通信パターンの前記非アクティブ化期間が前記第2のTDM通信パターンの前記アクティブ化期間に対応する、請求項8に記載の装置。
【請求項１２】
第2の送受信機をさらに備え、前記第2の送受信機が、前記第2のRATに従って動作し、
前記第1のTDM通信パターンのアクティブ化期間において、前記第1の周波数上で対応するアプリケーションのためのデータトラフィックを送信し、
前記第1のTDM通信パターンの非アクティブ化期間において、前記第2の周波数上で前記データトラフィックを送信するように構成される、請求項8に記載の装置。
【請求項１３】
前記第2の送受信機がさらに、前記第2のTDM通信パターンの非アクティブ化期間において、前記第1の周波数上で前記データトラフィックを送信するように構成される、請求項12に記載の装置。
【請求項１４】
前記プロセッサがさらに、前記対応するアプリケーションと関連付けられるサービス品質(QoS)の要件に基づいて、前記第1および第2の周波数を通じた送信のために前記データトラフィックをスケジューリングするように構成される、請求項12に記載の装置。
【請求項１５】
無線アクセス技術(RAT)間の干渉を低減するための複数の周波数からのチャンネル選択の方法であって、
リソースを介して信号を受信するステップであって、第1のRATが前記信号を受信するために使用される、ステップと、
前記第1のRATと関連付けられる前記リソースの利用率を特定するステップであって、前記受信された信号に基づく、ステップと、
前記リソースの前記特定された利用率が第1の周波数上でクリーンチャンネル閾値を下回ることに応答して、第2のRATによる前記リソースを通じた通信のために前記複数の周波数から第1の周波数を選択するステップと、
前記リソースの前記特定された利用率が前記複数の周波数の各々の上で前記クリーンチャンネル閾値を上回ることに応答して、前記第2のRATによる前記リソースを通じた通信のために前記複数の周波数から第2の周波数を選択するステップとを備え、
1つまたは複数の二次的チャンネルが前記リソース上で動作しているものとして特定される場合、前記第1のRATの二次的チャンネルと関連付けられる周波数が前記第2の周波数として選択され、
二次的チャンネルが前記リソース上で動作しているものとして特定されない場合、前記第1のRATの主要チャンネルと関連付けられる周波数が前記第2の周波数として選択される、方法。
【請求項１６】
前記第2のRATによる前記リソースを通じた前記第2の周波数上での送信のアクティブ化期間および非アクティブ化期間を定義する、時分割多重化(TDM)通信パターンを設定するステップをさらに備え、前記リソースの前記特定された利用率に基づく、請求項15に記載の方法。
【請求項１７】
前記第1のRATの前記主要チャンネルと関連付けられる前記周波数が前記第2の周波数として選択されることに応答して、前記TDM通信パターンが、前記主要チャンネル上での前記第1のRATの接続セットアップシグナリングへの干渉を低減するために、閾値を下回るアクティブ化期間および非アクティブ化期間を使用するように設定される、請求項16に記載の方法。
【請求項１８】
前記第1のRATの前記主要チャンネルと関連付けられる前記周波数が前記第2の周波数として選択されることに応答して、前記TDM通信パターンが、前記主要チャンネル上での前記第1のRATのビーコンシグナリングとの前記アクティブ化期間の重複を最小化するように設定される、請求項16に記載の方法。
【請求項１９】
前記第1のRATの前記主要チャンネルと関連付けられる前記周波数が前記第2の周波数として選択されることに応答して、前記第2の周波数上での送信を第1の電力レベルにおいて送信するステップと、
前記第1のRATの前記二次的チャンネルと関連付けられる前記周波数が前記第2の周波数として選択されることに応答して、前記第2の周波数上での送信を第2の電力レベルにおいて送信するステップとをさらに備え、
前記第1の電力レベルが前記第2の電力レベルよりも低い、請求項15に記載の方法。
【請求項２０】
前記受信された信号の中からビーコン信号を復号するステップと、
前記復号に基づいて、前記1つまたは複数の二次的チャンネルが前記リソース上で動作しているかどうかを特定するステップとをさらに備える、請求項15に記載の方法。
【請求項２１】
前記リソースが免許不要高周波帯域である、請求項15に記載の方法。
【請求項２２】
前記第1のRATがWi-Fi技術を備え、
前記第2のRATがLong Term Evolution(LTE)技術を備える、請求項15に記載の方法。
【請求項２３】
無線アクセス技術(RAT)間の干渉を低減するための複数の周波数からのチャンネル選択のための装置であって、
リソースを介して信号を受信するように構成される第1の送受信機であって、前記信号を受信するために第1のRATに従って動作する、第1の送受信機と、
前記第1のRATと関連付けられる前記リソースの利用率を特定することであって、前記受信された信号に基づく、特定することと、
前記リソースの前記特定された利用率が第1の周波数上でクリーンチャンネル閾値を下回ることに応答して、第2のRATによる前記リソースを通じた通信のために前記複数の周波数から第1の周波数を選択することと、
前記リソースの前記特定された利用率が前記複数の周波数の各々の上で前記クリーンチャンネル閾値を上回ることに応答して、前記第2のRATによる前記リソースを通じた通信のために前記複数の周波数から第2の周波数を選択することと
を行うように構成されるプロセッサであって、
1つまたは複数の二次的チャンネルが前記リソース上で動作しているものとして特定される場合、前記第1のRATの二次的チャンネルと関連付けられる周波数が前記第2の周波数として選択され、
二次的チャンネルが前記リソース上で動作しているものとして特定されない場合、前記第1のRATの主要チャンネルと関連付けられる周波数が前記第2の周波数として選択される、プロセッサと、
関連するデータおよび命令を記憶するための前記プロセッサに結合されるメモリとを備える、装置。
【請求項２４】
前記プロセッサがさらに、前記第2のRATによる前記リソースを通じた前記第2の周波数上での送信のアクティブ化期間および非アクティブ化期間を定義する、時分割多重化(TDM)通信パターンを設定するように構成され、前記設定が前記リソースの前記特定された利用率に基づく、請求項23に記載の装置。
【請求項２５】
前記第1のRATの前記主要チャンネルと関連付けられる前記周波数が前記第2の周波数として選択されることに応答して、前記TDM通信パターンが、前記主要チャンネル上での前記第1のRATの接続セットアップシグナリングへの干渉を低減するために、閾値を下回るアクティブ化期間および非アクティブ化期間を使用するように設定される、請求項24に記載の装置。
【請求項２６】
前記第1のRATの前記主要チャンネルと関連付けられる前記周波数が前記第2の周波数として選択されることに応答して、前記TDM通信パターンが、前記主要チャンネル上での前記第1のRATのビーコンシグナリングとの前記アクティブ化期間の重複を最小化するように設定される、請求項24に記載の装置。
【請求項２７】
第2の送受信機をさらに備え、前記第2の送受信機が、前記第2のRATに従って動作し、
前記第1のRATの前記主要チャンネルと関連付けられる前記周波数が前記第2の周波数として選択されることに応答して、前記第2の周波数上での送信を第1の電力レベルにおいて送信し、
前記第1のRATの前記二次的チャンネルと関連付けられる前記周波数が前記第2の周波数として選択されることに応答して、前記第2の周波数上での送信を第2の電力レベルにおいて送信するように構成され、
前記第1の電力レベルが前記第2の電力レベルよりも低い、請求項23に記載の装置。
【請求項２８】
前記プロセッサがさらに、
前記受信された信号の中からビーコン信号を復号し、
前記復号に基づいて、前記1つまたは複数の二次的チャンネルが前記リソース上で動作しているかどうかを特定するように構成される、請求項23に記載の装置。
【請求項２９】
前記リソースが免許不要高周波帯域である、請求項23に記載の装置。
【請求項３０】
前記第1のRATがWi-Fi技術を備え、
前記第2のRATがLong Term Evolution(LTE)技術を備える、請求項23に記載の装置。